(57)【要約】 【課題】  使用者が、装置の起動画面を変更した場合にも、起動画面を表示中である事の認識性を高め、誤操作を防止する事を可能にする、光ディスク再生装置、表示方法、プログラム及び記録媒体を提供する。【解決手段】  光ディスク再生装置２０は、起動または待機時に表示する画像に関する任意の起動画面データを記憶する、書き換え可能なメモリから構成される起動画面データメモリ４と、起動または待機時であることを示す表示に関する起動表示データを記憶する起動表示データメモリ１２と、起動または待機時に、起動画面データメモリ４に記憶された起動画面データと、起動表示データメモリ１２に記憶された起動表示データと、を合成するビデオミキサ１３と、を備える。【選択図】  図１
2006253863.tif 000002
【特許請求の範囲】
【請求項１】
起動または待機時に表示する画像に関する任意の起動画面データを記憶する、書き換え可能なメモリから構成される起動画面データ記憶部と、
起動または待機時であることを示す表示に関する起動表示データを記憶する起動表示データ記憶部と、
起動または待機時に、前記起動画面データ記憶部に記憶された起動画面データと、前記起動表示データ記憶部に記憶された起動表示データと、を合成するミキサと、
を備える、ことを特徴とする光ディスク再生装置。
【請求項２】
前記起動表示データ記憶部は、書き換え可能なメモリから構成され、任意の起動表示データを記憶する、
ことを特徴とする請求項１に記載の光ディスク再生装置。
【請求項３】
前記起動表示データ記憶部に記憶された起動表示データは、文字列を示す画像を含む画像データから構成される、
ことを特徴とする請求項１または２に記載の光ディスク再生装置。
【請求項４】
前記起動表示データ記憶部に記憶された起動表示データは、文字列に関するテキストデータから構成され、
前記起動表示データ記憶部に記憶されたテキストデータから構成される起動表示データに基づいて、起動表示画像を生成して前記ミキサに出力するジェネレータをさらに備える、
ことを特徴とする請求項１または２に記載の光ディスク再生装置。
【請求項５】
起動または待機時に表示する画像に関する任意の起動画面データを記憶するステップと、
起動または待機時であることを示す表示に関する起動表示データを記憶するステップと、
起動または待機時に、記憶された起動画面データと、記憶された起動表示データと、を合成するステップと、
を備える、ことを特徴とする表示方法。
【請求項６】
画面表示に適用されるプログラムであって、
起動または待機時に表示する画像に関する任意の起動画面データを記憶する手順と、
起動または待機時であることを示す表示に関する起動表示データを記憶する手順と、
起動または待機時に、記憶された起動画面データと、記憶された起動表示データと、を合成する手順と、
を備える、ことを特徴とするプログラム。
【請求項７】
請求項６に記載のプログラムが記録されたコンピュータ読み取り可能な記録媒体。
【発明の詳細な説明】
【技術分野】
【０００１】
本発明は、起動画面、待機画面を使用者が変更可能な光ディスク再生装置、コンピュータ装置等の技術に関する。
【背景技術】
【０００２】
従来から、特に業務用の光ディスク再生装置では、起動画面または待機画面（以下、あわせて「起動画面」という）を使用者の所望のように任意の画面に変更する機能への要求がある。例えば、顧客、学生等に備品として使用させる場合には、起動画面に企業のロゴ、私立学校のエンブレム等を表示することにより、備品であることを示し、さらには、広告的機能を期待したい場合などがある。
【０００３】
このような背景から、起動画面の変更機能を具備する光ディスク再生装置が開発されている（例えば、非特許文献１参照）。このような光ディスク再生装置は、例えば、静止画のデータファイルが記録されたディスクからこの画像データを読み込み、内部メモリに記憶し、以後、起動画面として表示する。このような光ディスク再生装置によれば、使用者が所望する自在な起動画面表示が可能となる。
【０００４】
【非特許文献１】製品データ［平成１７年２月２４日検索］、インターネット＜URL：http://www.d-mpro.eu.com/users/folder.asp?FolderID=4563&CatID=16&SubCatID=160＞
【発明の開示】
【発明が解決しようとする課題】
【０００５】
しかしながら、上記のような構成では、起動画面を表示している際に、使用者がディスク再生中であると誤認してしまう場合がある。このような場合には、スキップや停止の操作をしてしまう等の誤操作を招き、使用者の使用感を損ない、ひいては製品・製造者に対する印象が損なわれる可能性がある。
本発明は、上記不具合を解決することを目的とするものである。
【課題を解決するための手段】
【０００６】
上記目的を達成するために、本発明の第１の態様における光ディスク再生装置は、起動または待機時に表示する画像に関する任意の起動画面データを記憶する、書き換え可能なメモリから構成される起動画面データ記憶部と、起動または待機時であることを示す表示に関する起動表示データを記憶する起動表示データ記憶部と、起動または待機時に、前記起動画面データ記憶部に記憶された起動画面データと、前記起動表示データ記憶部に記憶された起動表示データと、を合成するミキサと、を備える。
この構成によれば、起動画面表示中には、例えば製造者の名称、ロゴ、マークなどの起動画面用の画像が常に所定の起動画面に合成されて出力される。したがって、通常のディスク再生画面とは異なることが瞬時に判別でき、起動画面表示中に再生中と誤まって認識する事などによる誤操作を防止することが可能となる。
【０００７】
上記構成の光ディスク再生装置において、前記起動表示データ記憶部は、書き換え可能なメモリから構成され、任意の起動表示データを記憶してもよい。この構成によれば、起動画面表示中の判別性を高めながら、起動画面表示時に合成する、起動表示データも使用者が任意に変更する事が可能となる。よって、使用者が要望する起動画面及び起動表示の任意の組合せにより起動画面を構成する事が可能となる。
【０００８】
上記構成の光ディスク再生装置において、前記起動表示データ記憶部に記憶された起動表示データは、文字列を示す画像を含む画像データから構成されてもよい。この構成によれば、所定の文字列が起動画面中に重畳して表示される。
【０００９】
上記構成の光ディスク再生装置において、前記起動表示データ記憶部に記憶された起動表示データは、文字列に関するテキストデータから構成されてもよく、前記起動表示データ記憶部に記憶されたテキストデータから構成される起動表示データに基づいて、起動表示画像を生成して前記ミキサに出力するジェネレータをさらに備えてもよい。
この構成によれば、起動画面表示中の判別性を高めながら、起動画面用のキャラクタデータを記録したディスクを作成するなどの必要が無く、簡便に所望の文字列を含む起動画面を構成する事が可能となる。
【００１０】
上記目的を達成するために、本発明の第２の態様における表示方法は、起動または待機時に表示する画像に関する任意の起動画面データを記憶するステップと、起動または待機時であることを示す表示に関する起動表示データを記憶するステップと、起動または待機時に、記憶された起動画面データと、記憶された起動表示データと、を合成するステップと、を備える。
この構成によれば、起動画面表示中には、例えば製造者の名称、ロゴ、マークなどの起動画面用の画像が常に所定の起動画面に合成されて出力される。したがって、通常のディスク再生画面とは異なることが瞬時に判別でき、起動画面表示中に再生中と誤まって認識する事などによる誤操作を防止することが可能となる。
【００１１】
上記目的を達成するため、本発明の第３の態様におけるプログラムは、画面表示に適用されるプログラムであって、起動または待機時に表示する画像に関する任意の起動画面データを記憶する手順と、起動または待機時であることを示す表示に関する起動表示データを記憶する手順と、起動または待機時に、記憶された起動画面データと、記憶された起動表示データと、を合成する手順と、を備える。
上記プログラムはコンピュータ読み取り可能な記録媒体に記録されてもよい。
【００１２】
すなわち、上記プログラムを光ディスク再生装置、コンピュータ装置等に読み込ませるとともに、一連の処理を実行させることで、本発明を容易に実現することができる。この場合、プログラムを、プログラム記録媒体という形態とすることにより、ソフトウェア商品として装置とは独立した形で、生産、販売、配布等を容易に行うことができる。また、光ディスク再生装置、コンピュータ装置等のハードウェアに、このソフトウェアを予め組み込んでおくことによって本発明を容易に実施することができる。
さらには、上記プログラムを符号化し、搬送波に重畳されたプログラムコード信号として送信するとともに、この搬送波に重畳されたプログラムコード信号を受信し、元のプログラムに復号化してコンピュータ装置等に実行させることにより、本発明における画像表示技術を容易に実施することができる。また、このようなコンピュータ装置等にダウンロードされ、復号されたプログラムを、ＣＤ−Ｒ等に記録させ、光ディスク再生装置にインストールすることも可能である。
【発明の効果】
【００１３】
本発明によれば、使用者が、装置の起動画面を変更した場合にも、起動画面を表示中である事の認識性を高め、誤操作を防止する事を可能にした、光ディスク再生装置、表示方法、プログラム及び記憶媒体が提供される。
【発明を実施するための最良の形態】
【００１４】
（第１の実施の形態）
以下、本発明の第１の実施の形態に係る光ディスク再生装置について図面を参照しながら説明する。なお、以下に示す実施の形態は一例であり、これに限定されない。
図１に、本発明の第１の実施の形態に係る光ディスク再生装置２０のブロック図を示す。図１に示す光ディスク再生装置２０は、ディスクドライブ１と、動画デコーダ２と、静止画デコーダ３と、起動画面データメモリ（Random Access Memory）４と、セレクタ５と、ビデオエンコーダ６と、ビデオ出力端子７と、ＣＰＵ（Central Processing Unit）８と、操作子９と、起動表示データメモリ１２と、ビデオミキサ１３と、を備える。
【００１５】
ディスクドライブ１は、ＤＶＤ（Digital Versatile Disk）、ＣＤ（Compact Disk）等の光ディスクの挿入を受け付け、ディスクに記録された動画データ、静止画データ、音声データ、管理情報等を読み出す。
【００１６】
動画デコーダ２は、ディスクドライブ１がディスクから読み出した動画データ及び音声データを復調する。静止画デコーダ３は、ディスクから読み出された静止画データを復調する。動画データおよび静止画データはディスクに、ＭＰＥＧ（Moving Picture Experts Group）、ＪＰＥＧ（Joint Photographic Experts Group）等の所定のフォーマットで記録されている。なお、勿論、動画デコーダ２及び静止画デコーダ３は、それぞれ別個に設ける必要はなく、１つのデコーダとして構成されていてもよい。
【００１７】
ビデオエンコーダ６は、入力された信号をＮＴＳＣ（National TV Standards Committee）、ＰＡＬ（Phase Alternating Line）等のフォーマットに変換して、ビデオ出力端子７から画像信号として出力する。
【００１８】
ビデオ出力端子７は、外部のビデオモニタ１０に接続するための出力部を構成する。ビデオモニタ１０は、ＣＲＴ（Cathode Ray Tube）画面、液晶画面、ＰＤＰ（Plasma Display Panel）等のディスプレイを備えたものであれば、独立のあるいは他の電子機器に付属のいかなるモニタであってもよい。また、ビデオモニタ１０の代わりに、プロジェクタを用いてもよい。
【００１９】
操作子９は、使用者からの操作入力を受け付け、リモートコントローラ等を含んで構成されている。操作者は、例えば、リモートコントローラを用いて、あるいは、ビデオモニタ１０上のＯＳＤ（On Screen Display）を通じて、種々の入力を行う。
【００２０】
起動画面データメモリ４は、起動画面表示用の静止画データファイルを記憶している。起動画面データメモリ４は、ＥＥＰＲＯＭ（Electrically Erasable Programmable ROM）、フラッシュメモリ等の書き換え可能な不揮発性メモリから構成されている。
【００２１】
起動画面データメモリ４には、デフォルトとして光ディスク再生装置２０の製造者が作成した画面の画像データが記憶されている。使用者は、起動画面データメモリ４に所望の画像データをとりこむことにより起動画面表示を随時変更することができる。本明細書において、「起動画面」とは、光ディスク再生装置２０の起動時、あるいは、動作が所定時間停止された待機時に、自動的に表示される画面をいう。
【００２２】
例えば、使用者は、起動画面に設定したいＪＰＥＧファイル等の静止画ファイルが記録されたＣＤ−Ｒ（Compact Disk-Recordable）、ＣＤ−ＲＷ（CD-ReWritable）等のディスクを用意する。これらのディスクには、例えば、市販の、あるいは、使用者がＰＣ（Personal Computer）を用いて自ら作製しまたはダウンロードした素材が記録されている。使用者は、このディスクを光ディスク再生装置２０で再生し、起動画面候補の画像をビデオモニタ１０上のＯＳＤを通じて選択する。ディスクから再生された画像信号は、静止画デコーダ３で復調され、ＣＰＵ８の制御によって、起動画面データメモリ４に書き込まれる。図２に、起動画面データメモリ４に記憶される静止画データの一例を示す。
【００２３】
なお、不用意なメモリ書換え等の防止のために、例えば、操作子９のスイッチを複数同時に一定時間押下するなど、通常操作とは異なる操作によって選択する。この選択操作により、起動画面データメモリ４に所望の画像ファイルが記憶される。以前に使用者が起動画面データメモリ４に取り込んだ画像は消去される。ただし、デフォルトの起動画面用画像データは、例えば、別のＲＯＭに記憶されており、例えば、リセット操作によりデフォルトの起動画面表示に戻すことができる。
【００２４】
図１に戻り、セレクタ５は、動画デコーダ２、静止画デコーダ３、及び、起動画面データメモリ４からの出力信号を受け付け、ＣＰＵ８の制御の下、そのいずれか１つを選択して出力する。後述するように、ＣＰＵ８は、起動時には起動画面データメモリ４からの出力信号を選択し、ディスクの再生時には、動画デコーダ２または静止画デコーダ３のいずれかからの出力信号を選択する。
【００２５】
起動表示データメモリ１２は、ＲＯＭから構成され、起動画面表示の際、起動画面データとともに表示される起動表示データを記憶する。起動表示データは、製造者の名称、製品名、製品シリーズ名等の、特定のキャラクタ（文字）を含む静止画データから構成され、光ディスク再生装置２０の製造者が記憶させる。選択されるキャラクタは、光ディスク再生装置２０の製品属性に関すると理解されやすいものであることが望ましい。図３に、起動表示データメモリ１２に記憶される画像データの一例を示す。図３に示す例では、光ディスク再生装置２０の製造者の名称を意味するキャラクタ（「ＡＢＣ．ＣＯ．ＬＴＤ」）が画像に含まれている。
【００２６】
図１に戻り、ビデオミキサ１３は、セレクタ５の出力に接続され、また、スイッチ１４を介して起動表示データメモリに接続されている。起動画面表示中、ＣＰＵ８はスイッチ１４をＯＮ状態に制御する。このとき、ビデオミキサ１３には、セレクタ５を介して起動画面データメモリ４からの画像データが入力され、また、スイッチ１４を介して起動表示データメモリ１２からの画像データが入力される。ビデオミキサ１３は、２つの画像データを合成して出力する。例えば、起動画面データメモリ４から図２に示す画像が記憶され、起動表示データメモリ１２から図３に示す画像記憶されている場合には、ビデオミキサ１３はこれらを合成する。結果、ビデオモニタ１０には、図４に示すような起動画面が表示される。
【００２７】
ＣＰＵ８は、上記構成の光ディスク再生装置２０の動作を総括的に制御する。
【００２８】
以下、上記第１の実施の形態に係る光ディスク再生装置２０の、起動時の動作について図面を参照して説明する。図５に、第１の実施の形態における起動時の動作の一例を説明するフローチャートを示す。なお、以下に示す例では、起動画面は、起動前に使用者により設定変更されている。
【００２９】
まず、使用者が光ディスク再生装置２０を起動する（ステップＳ１１）。ＣＰＵ８は、起動画面データメモリ４からの画像データを選択し、ビデオミキサ１３に出力するようセレクタ５を制御する（ステップＳ１２）。一方で、これと同時にまたはその前後に、ＣＰＵ８は、起動画面表示中には、スイッチ１４をオン状態とし、起動表示データメモリ１２からの画像データをビデオミキサ１３に入力するよう制御する（ステップＳ１３）。
【００３０】
ビデオミキサ１３は、起動画面データメモリ４からの信号と、起動表示データメモリ１２からの信号を合成する（ステップＳ１４）。すなわち、ビデオミキサ１３は、起動画面データメモリ４からの画像と、起動表示データメモリ１２からの画像と、を合成した画像信号を生成し、ビデオエンコーダ６に出力する。
【００３１】
ビデオエンコーダ６は、入力された信号をＮＴＳＣ、ＰＡＬ等のフォーマットに変換して、ビデオ出力端子７から画像信号として出力する。画像信号は、ビデオ信号出力端子７に接続されたビデオモニタ１０に表示され、起動画面が表示される（ステップＳ１５）。起動画面は、そのまま待機画面として、例えば、使用者が動作を指示するまで表示される。
【００３２】
ビデオミキサ１３は、例えば、起動画面データメモリ４に記憶されている図２に示す画像データと、起動表示データメモリ１２に記憶されている図３に示す画像データと、を合成し、図４に示す画像を合成して出力する。
【００３３】
その後、起動画面が表示されている間に、光ディスク再生装置２０は、使用者が挿入したまたは既に搭載されているディスクについて再生を開始する（図５、ステップＳ１６）。すなわち、ディスクドライブ１でディスクに記録された信号が読み出され、動画デコーダ２または静止画デコーダ３で復調される。
【００３４】
ディスクからの再生信号の出力が可能になると、ＣＰＵ８は、セレクタ５を、復調された信号を選択し、ビデオミキサ１３に入力するよう制御する。同時に、ＣＰＵ８は、スイッチ１４をオフ状態に制御する。従って、ビデオミキサ１３からは、ディスクから再生された信号だけが、ビデオエンコーダ６に出力される。こうして、ディスク再生による信号が、起動画面信号から切り換えられてビデオモニタ１０に表示される（ステップＳ１７）。以上で、起動時の動作は終了する。その後、使用者が再生を所定時間停止した場合などに、同様の動作により、起動画面を表示するようにしてもよい。
【００３５】
以上のように、本第１の実施の形態では、使用者が所望する画像に起動画面を変更した場合でも、この画像に所定の起動表示データが付加された画面が表示される。このため、任意の画像に起動画面が変更されても、使用者は起動画面であることが即時に認識でき、誤操作などの回避により、使用者の高い使用感が実現される。
【００３６】
例えば、業務用用途に用いられる場合には、光ディスク再生装置２０の起動画面を変更した者が常に使用するわけではなく、不特定の者が使用することが多い。例えば、図書館の備品として使用される場合、通常は図書館の備品管理者が起動画面を変更する。このような場合、図書館の利用者はそれと知らずにこのような光ディスク再生装置を使用し、画面に表示された起動画面をディスクの再生画面と勘違いして誤操作をしてしまう可能性がある。
【００３７】
しかし、本実施の形態に係る光ディスク再生装置２０によれば、たとえどのような画像が起動画面として表示されるとしても、好ましくは光ディスク再生装置２０の属性を示すキャラクタ（文字）が常に起動画面中に表示される。このため、使用者（利用者）は、表示されている画面が起動画面であることを容易に認識することができ、誤操作等は確実に防止される。
【００３８】
一方で、通常、デフォルトの起動画面には、光ディスク再生装置２０の製造者の名称や、機種名、機種シリーズ名等が表示されるものの、起動画面を使用者が自在に変更可能とした場合にはこの画面は表示されない。しかし、本実施の形態によれば、任意の画面に変更されたとしても、製造者の名称等が常に表示可能である。したがって、製造者にとっては、使用者の使用感を向上させつつ、起動画面の広告的機能を発揮させることができるため、非常に有益である。
【００３９】
なお、図１に示す例では、セレクタ５の出力をビデオミキサ１３に入力する構成とした。しかし、図６に示すように、ビデオミキサ１３により起動画面データと起動表示データとを合成した信号をセレクタ５に入力するようにしてもよい。
【００４０】
（第２の実施の形態）
以下、本発明の第２の実施の形態に係る光ディスク再生装置２０について図面を参照しながら説明する。図７に、第２の実施の形態に係る光ディスク再生装置２０のブロック図を示す。なお、図７において、図１と同一の構成については同一の参照番号を付し、説明を省略する。
【００４１】
第２の実施の形態においては、起動表示データメモリ１２に記憶される画像データについても、起動画面データと同様に、使用者が変更可能に構成されている。すなわち、起動表示データメモリ１２は書き換え可能なメモリから構成され、図７に示すように、静止画デコーダ３及びＣＰＵ８に接続され、ディスクから再生され、復調された任意の静止画データを記憶可能に構成されている。
【００４２】
起動表示データを変更するには、まず、起動画面と合成するための起動表示データが記録されたＣＤ−Ｒ、ＣＤ−ＲＷ等のディスクを用意する。このようなディスクは、例えば、ＰＣ上で所定のアプリケーションを用いて作製可能である。具体的には、文書アプリケーションまたは作図アプリケーションを用いて所望のキャラクタ（文字列）を含むデータファイルを作成し、次いで、ＪＰＥＧ等の形式に変換して画像データを作製することができる。ここで、画面合成を容易とするために、キャラクタの背景色をブルーバックで、すなわち、背景が青色の抜き文字で表現することが好ましい。
【００４３】
次に、作成したディスクを再生しながら、起動表示データに変更する画像をモニタ１０上のＯＳＤを介して選択する。例えば、上述した起動画面変更操作とは異なる組合せで、操作子９のスイッチを複数同時に一定時間押下するなどの操作によって、起動表示データの変更を起動する。起動表示データの変更操作を受付けると、ＣＰＵ８は、起動表示データメモリ１２のメモリの消去、書込みを実施し、起動表示データの変更を完了する。なお、デフォルトの起動表示データは、例えば、別のＲＯＭに記憶され、消去不可とされている。
【００４４】
このように、本発明の第２の実施の形態では、起動画面データだけでなく、起動表示データについても、使用者が所望する画像に変更可能である。このため、使用者は、起動画面であることが即時に認識できることに加えて、使用者が要望する起動画面と、起動画面用キャラクタの任意の組合せにより起動画面を構成する事が可能となる。
【００４５】
このことは、例えば、公共の組織での使用において特定の製造者の名称等の表示が好ましくない場合に有用である。起動時にデフォルトで表示される名称等の代わりに、「ＷＡＩＴ  ＦＯＲ  Ａ  ＭＯＭＥＮＴ．」等の起動中であることを示すキャラクタを、使用者（管理者）が変更した起動画面と合成して表示する。これにより、管理者は特定の起動画面表示に変更できる一方で、使用者（利用者）は表示されている画面が起動画面であることを容易に認識することができる。
【００４６】
上記第１および第２の実施の形態では、起動表示データメモリ１２は、文字列を表すキャラクタデータを記憶するものとした。しかし、起動表示データメモリ１２がロゴ、商標、マーク、記号等の図形的な画像データを記憶し、これを重畳表示することにより起動画面であることを示すようにしてもよい。
【００４７】
（第３の実施の形態）
以下、本発明の第３の実施の形態に係る光ディスク再生装置２０について図面を参照しながら説明する。図８に、第３の実施の形態に係る光ディスク再生装置２０のブロック図を示す。なお、図８において図１と同一の構成については同一の参照番号を付し、説明を省略する。
【００４８】
図８に示すように、第３の実施の形態に係る光ディスク再生装置２０は、任意のキャラクタデータを生成するキャラクタジェネレータ１６を備える。すなわち、第３の実施の形態では、起動表示データとして静止画データは記憶されておらず、キャラクタジェネレータ１６が生成した所定のキャラクタデータがビデオミキサ１３において起動画面データと合成されて出力される。
【００４９】
具体的には、キャラクタジェネレータ１６は、書き込み可能な不揮発性メモリから構成された起動表示データメモリ１２に接続されている。起動表示データメモリ１２には、例えば製造者の名称などの文字列に関するキャラクタデータがテキストデータで記憶されている。記憶されているキャラクタデータは、画像データではなくテキストデータであるため、使用容量は比較的低く抑えることができる。起動画面表示の際、キャラクタジェネレータ１６は、起動表示データメモリ１２に記憶された文字列（キャラクタ）に対応する画像データを生成して、ビデオミキサ１３に出力する。ビデオミキサ１３は、キャラクタデータを読み出された起動画面データと合成して出力する。
【００５０】
また、起動表示データメモリ１２が記憶するキャラクタデータは、使用者が操作子９から入力、変更することができる。すなわち、別途ＰＣを用いることなく、光ディスク再生装置２０を使って、使用者の所望する任意の文字列を生成させる事が可能である。
例えば、操作子９のスイッチの複数回の押下により、文字入力操作専用状態に装置の動作状態を切換えると、ビデオモニタ１０には、アルファベット、五十音、キャラクタ文字等と終了キーが表示される。使用者は所望する文字を選択し、所定の文字数のキャラクタ文字列を生成した後、画面の終了キーを選択する。起動表示データメモリ１２は入力された文字列を記憶する。
【００５１】
次回に、起動画面が表示される場合は、起動画面データメモリ４の画像データと、使用者が作成したキャラクタ文字列が合成されて出力され、ビデオモニタ１０に表示される。このため、使用者が起動画面であることが即時に認識できることに加えて、簡便に使用者の所望する文字列にカスタマイズして、任意の起動画面を構成する事が可能となる。
【００５２】
以上のように、本第３の実施の形態によれば、起動表示の際には、起動表示データ１２に記憶されたテキストデータに基づいてキャラクタジェネレータ１６が生成したキャラクタデータを合成して表示する。このため、キャラクタデータを比較的少ない容量で記憶させることができる。また、起動画面用の起動表示データのディスクを作成する必要が無く、使用者がＰＣを介さず直接簡便に所望のキャラクタ文字列にカスタマイズして起動画面を構成する事が可能となる。
【００５３】
なお、図８に示す例では、セレクタ５の出力をビデオミキサ１３に入力する構成とした。しかし、勿論、図６に示す構成と同様に、ビデオミキサ１３により起動画面データとキャラクタデータとを合成した信号をセレクタ５に入力するようにしてもよい。
【００５４】
また、上記方法を実現するプログラムを光ディスク再生装置、コンピュータ装置等に読み込ませるとともに、一連の処理を実行させるようにしてもよい。この場合、プログラムを、ハードウェアに予め組み込んでおくだけでなく、例えば、フレキシブルディスク、ＣＤ−ＲＯＭ、ＤＶＤ、半導体メモリ等のリムーバブル記録媒体に記録し、該記録媒体から光ディスク再生装置等に読み込ませてもよい。また、このようなプログラムをインターネット等のネットワークを通じてコンピュータ装置にダウンロードして記録媒体に保存し、光ディスク再生装置等にインストールするようにしてもよい。さらには、光ディスク再生装置等に通信処理部を設けておくことにより、ネットワークを通じて直接ダウンロードし、インストールすることも可能である。
【産業上の利用可能性】
【００５５】
本発明は、起動画面、待機画面を使用者が変更可能な光ディスク再生装置、コンピュータ装置等の技術に有用である。
【図面の簡単な説明】
【００５６】
【図１】本発明の第１の実施の形態に係る光ディスク再生装置のブロック図を示す。
【図２】起動画面データメモリに記憶された画像データの一例を示す図である。
【図３】起動表示データメモリに記憶された画像データの一例を示す図である。
【図４】起動画面の一例を示す図である。
【図５】光ディスク再生装置の起動時の動作を説明するフローを示す。
【図６】本発明の第１の実施の形態の変形例を示す図である。
【図７】本発明の第２の実施の形態に係る光ディスク再生装置のブロック図を示す。
【図８】本発明の第３の実施の形態に係る光ディスク再生装置のブロック図を示す。
【符号の説明】
【００５７】
２０：光ディスク再生装置、１：ディスクドライブ、２：動画デコーダ、３：静止画デコーダ、４：起動画面データメモリ、５：セレクタ、６：ビデオエンコーダ、７：ビデオ出力端子、８：ＣＰＵ、９：操作子、１０：ビデオモニタ、１２：起動表示データメモリ、１３：ビデオミキサ、１４：スイッチ、１６：キャラクタジェネレータ
【図１】
2006253863.tif 000003
【図２】
2006253863.tif 000004
【図３】
2006253863.tif 000005
【図４】
2006253863.tif 000006
【図５】
2006253863.tif 000007
【図６】
2006253863.tif 000008
【図７】
2006253863.tif 000009
【図８】
2006253863.tif 000010